(57)【要約】【課題】音量を速やかに最大レベルに調整する音量調整装置を提供する。【解決手段】音量設定部５４１は、専用キー５５がユーザにより押されると、音声信号の音量を上限値に設定し、無線機を最大音量モードに設定する。この場合、音量設定部５４１は、最大音量モードにする直前に設定していた音量をＲＡＭに記憶させる。そして、音量設定部５４１は、専用キー５５がユーザにより再度押されると、音声信号の音量をＲＡＭに記憶していた音量に戻す。【選択図】図１
2010114509.tif 000002
【特許請求の範囲】
【請求項１】
音声出力部から出力される音声信号の音量を調整する音量調整装置であって、
前記音声信号の音量を段階的に調整するための操作が入力される第１の音量操作部と、
前記第１の音量操作部に入力された操作に応じて前記音声信号の音量を設定する音量設定部と、
音量を粗調整するための操作が入力される第２の音量操作部とを備え、
前記音量設定部は、前記第２の音量操作部が操作されると、前記音声信号の音量を予め定められた上限値に設定することを特徴とする音量調整装置。
【請求項２】
前記音量設定部は、前記第２の音量操作部が操作されて前記音声信号の音量を前記上限値に設定した後、前記第２の音量操作部が再度操作された場合、前記音声信号の音量を前記上限値に設定する直前の音量に戻すことを特徴とする請求項１記載の音量調整装置。
【請求項３】
前記音量設定部は、前記第２の音量操作部の押されている時間に応じて、前記音声信号の音量を前記上限値又は予め定められた下限値に設定することを特徴とする請求項１又は２記載の音量調整装置。
【請求項４】
前記音量は、所定の最小値から所定の最大値までの音量範囲で設定可能であり、
前記上限値は、前記最大値以下の前記音量範囲内の値に変更可能であることを特徴とする請求項１〜３のいずれかに記載の音量調整装置。
【請求項５】
前記音量は、所定の最小値から所定の最大値までの音量範囲で設定可能であり、
前記下限値は前記最小値以上の前記音量範囲内の値に変更可能であることを特徴とする請求項３記載の音量調整装置。
【発明の詳細な説明】
【技術分野】
【０００１】
本発明は、音量を段階的に調整する音量操作部を備える音量調整装置に関するものである。
【背景技術】
【０００２】
無線機等に採用される従来の音量調整装置としては、例えば音量ＵＰボタン又は音量ＤＯＷＮボタンを操作することで音量を段階的に調整するものが知られている。この音量調整装置では、例えば２０段階で音量を調整することができる電子ボリュームが採用され、音量レベルが１０に設定されている場合、音量ＵＰボタンを１０回押すと音量レベルが２０となり最大となる。
【０００３】
一方、無線機を騒音の多い屋外で使用する場合、スピーカから出力される音声信号の音量が低いと、ユーザは無線信号を受信した場合、スピーカから出力される音声信号を聞き逃してしまう可能性がある。そのため、無線機では無線信号が受信されると、音量ＵＰボタンを操作して音量が最大レベル付近にまで調整されることが多い。
【０００４】
なお、特許文献１には、テストモードに設定されている状態で音量ＵＰキーが押されると、音量を最大値に設定し、テストモードに設定されている状態で音量ＤＯＷＮキーが押されると、音量を最小値に設定する音量調整装置が開示されている。
【特許文献１】特開平５−２０６７６７号公報
【発明の開示】
【発明が解決しようとする課題】
【０００５】
しかしながら、無線機に採用される従来の音量調整装置では、無線信号を受信しても音量を速やかに最大レベル付近に調整することができなかった。そのため、音声信号を聞き逃してしまうという問題があった。
【０００６】
また、特許文献１の音量調整装置は、ＣＡＴＶのホームターミナルに適用されるものである。このホームターミナルは主に屋内で使用されるものであり、無線機のように屋外で使用されるものではない。そのため、特許文献１の音量調整装置には、音声信号を受信すると速やかに音量を最大レベルに調整するというようなニーズはなく、音量ＵＰキー及び音量ＤＯＷＮキーとは別に音量を最大レベルに調整することができる専用のキーを設けるとの発想は存在しない。
【０００７】
よって、特許文献１の音量調整装置では、速やかに音量を最大レベルに調整することはできず、音声信号を聞き逃してしまうという問題がある。
【０００８】
本発明の目的は、音量を速やかに最大レベルに調整することができる音量調整装置を提供することである。
【課題を解決するための手段】
【０００９】
（１）本発明の一局面による音量調整装置は、音声出力部から出力される音声信号の音量を調整する音量調整装置であって、前記音声信号の音量を段階的に調整するための操作が入力される第１の音量操作部と、前記第１の音量操作部に入力された操作に応じて前記音声信号の音量を設定する音量設定部と、音量を粗調整するための操作が入力される第２の音量操作部とを備え、前記音量設定部は、前記第２の音量操作部が操作されると、前記音声信号の音量を予め定められた上限値に設定することを特徴とする。
【００１０】
この構成によれば、音声信号の音量を段階的に調整するための操作が入力される第１の音量操作部とは別に、音量を所定の上限値にするための操作が入力される第２の音量操作部が設けられている。そのため、ユーザは、第２の音量操作部を操作することで、速やかに音声信号の音量を所定の上限値にすることができる。よって、受信した音声信号を聞き逃すことを防止することができる。
【００１１】
（２）前記音量設定部は、前記第２の音量操作部が操作されて前記音声信号の音量を前記上限値に設定した後、前記第２の音量操作部が再度操作された場合、前記音声信号の音量を前記上限値に設定する直前の音量に戻すことが好ましい。
【００１２】
この構成によれば、ユーザは第２の音量操作部を操作して音声信号の音量を上限値に設定した後、再度、第２の音量操作部を操作することで、音声信号の音量を上限値に設定する直前の音量に戻すことができる。そのため、ユーザは第１の音量操作部を操作して音声信号の音量を上限値から元の音量に段階的に戻す煩わしい操作を行わなくても、速やかに音声信号の音量を元の音量に戻すことができる。
【００１３】
（３）前記第２の音量操作部は、前記音量設定部は、前記第２の音量操作部の押されている時間に応じて、前記音声信号の音量を前記上限値又は予め定められた下限値に設定することが好ましい。
【００１４】
この構成によれば、第２の音量操作部を押す時間を変えることで、音声信号の音量を速やかに上限値又は下限値に設定することができる。
【００１５】
（４）前記音量は、所定の最小値から所定の最大値までの音量範囲で設定可能であり、前記上限値は、前記最大値以下の前記音量範囲内の値に変更可能であることが好ましい。
【００１６】
この構成によれば、上限値を所望する音量に設定することができる。
【００１７】
（５）前記音量は、所定の最小値から所定の最大値までの音量範囲で設定可能であり、
前記下限値は前記最小値以上の前記音量範囲内の値に変更可能であることが好ましい。
【００１８】
この構成によれば、下限値を所望する音量に設定することができる。
【発明の効果】
【００１９】
本発明によれば、ユーザは、第２の音量操作部を操作することで、速やかに音声信号の音量を所定の上限値にすることができる。
【発明を実施するための最良の形態】
【００２０】
以下、本発明の一実施の形態による音量調整装置を無線機に適用した場合を例に挙げて説明する。図１は、本発明の一実施の形態による音量調整装置が適用された無線機のブロック図を示している。
【００２１】
無線機は、アンテナ１、ＲＦ回路２、ミキサー３、ＩＦ（Intermediate Frequency）−ＩＣ４、音量調整部５（音量調整装置）、アンプ６、及びスピーカ７（音声出力部）を備えている。
【００２２】
ＲＦ回路２と、ミキサー３と、ＩＦ−ＩＣ４とで、アンテナ１で受信した無線信号を音声信号に変換する受信部をなす。
【００２３】
アンテナ１は、無線信号を送受信する。アンテナ１で受信された無線信号は、ＲＦ回路２、ミキサー３、及びＩＦ−ＩＣ４に順次に処理されて復調され、アナログの音声信号に変換され、Ｄ／Ａコンバータ５１に入力される。
【００２４】
Ｄ／Ａコンバータ５１は、いわば簡易電子ボリュームとして機能する例えば乗算型Ｄ／Ａコンバータにより構成され、ＩＦ−ＩＣ４から出力されるアナログの音声信号を、制御部５４から出力されるデジタル信号で制御して、アンプ６に出力することで、音声信号の音量を制御する。これにより、スピーカ７から出力される音声信号の音量が調整される。このデジタル信号は、調整される音量に応じたレベルを有している。
【００２５】
アンプ６は、Ｄ／Ａコンバータ５１から出力された音声信号を所定の利得で増幅してスピーカ７に出力する。スピーカ７はアンプ６から出力された音声信号を出力する。
【００２６】
音量調整部５は、Ｄ／Ａコンバータ５１、音量操作部５２（第１の音量操作部）、表示部５３、制御部５４、専用キー（第２の音量操作部）５５、及び選択キー５６を備えている。音量操作部５２は、音量ＵＰキー５２１及び音量ＤＯＷＮキー５２２を備え、スピーカ７から出力される音声信号の音量を段階的に調整するためのユーザからの操作が入力される。
【００２７】
音量ＵＰキー５２１は、例えばボタンにより構成され、選択キー５６が押されて音量設定モードにされた状態では、ユーザにより１回押される毎に、スピーカ７から出力される音声信号の音量を１段階上昇させる。音量ＤＯＷＮキー５２２は、例えばボタンにより構成され、選択キー５６が押されて音量設定モードにされた状態では、ユーザにより１回押される毎に、スピーカ７から出力される音声信号の音量を１段階減少させる。
【００２８】
表示部５３は、例えば液晶又は有機ＥＬ等の表示装置により構成され、制御部５４の制御の下、音量設定部５４１が現在設定している音量をユーザに報知するための画像を表示する。ここで、表示部５３は、音量設定部５４１により無線機が最大音量モード（後述する）に設定された場合、最大音量モードに設定される直前の音量を示す画像を例えば点滅表示させる。
【００２９】
制御部５４は、例えばＣＰＵ、ＲＯＭ、又はＲＡＭ等を備えるマイクロコンピュータにより構成され、ＲＯＭに記憶された制御プログラムを実行することで無線機の全体制御を司る。本実施の形態では、制御部５４は、特に音量設定部５４１を備えている。
【００３０】
音量設定部５４１は、音量操作部５２に入力されたユーザからの操作に応じて音声信号の音量を設定する。
【００３１】
ここで、音量設定部５４１は、現在設定している音量をＲＡＭに記憶しておき、選択キー５６が押されて音量設定モードにされた状態では、音量ＵＰキー５２１がユーザにより１回押される毎に、現在設定している音量を１段階ずつ上昇させ、ＲＡＭに記憶された音量を更新する。そして、音量設定部５４１は、音声信号の音量を調整するためのデジタル信号をＤ／Ａコンバータ５１に出力する。これにより、スピーカ７からは音量設定部５４１により現在設定されている音量の音声信号が出力される。
【００３２】
なお、音量設定部５４１は、現在設定している音量が所定の最大値に到達した場合、音量ＵＰキー５２１が押されても音量を上昇させない。最大値は、音量範囲が例えば０〜３１であるとすると３１が該当する。
【００３３】
また、音量設定部５４１は、選択キー５６が押されて音量設定モードにされた状態では、音量ＤＯＷＮキー５２２がユーザにより１回押される毎に、現在設定している音量を１段階ずつ減少させ、ＲＡＭに記憶された音量を更新する。
【００３４】
なお、音量設定部５４１は、現在設定している音量が所定の最小値に到達した場合、音量ＤＯＷＮキー５２２が押されても音量を減少させない。ここで、最小値は、音量範囲が例えば０〜３１であるとすると０が該当する。
【００３５】
また、音量設定部５４１は、専用キー５５が操作されると、音声信号の音量を所定の上限値に設定し、無線機を最大音量モードに設定する。ここで、上限値は、最大値以下の音量範囲内の値であり、デフォルトでは、最大値が設定されている。つまり、音量範囲が０〜３１とすると上限値のデフォルト値は３１である。この上限値は、後述するように変更可能である。
【００３６】
具体的には、音量設定部５４１は、専用キー５５がユーザにより押されると、音声信号の音量を上限値に設定し、無線機を最大音量モードに設定する。
【００３７】
この場合、音量設定部５４１は、最大音量モードにする直前に設定していた音量をＲＡＭに記憶させる。そして、音量設定部５４１は、専用キー５５がユーザにより再度押されると、音声信号の音量をＲＡＭに記憶していた音量に戻し、無線機を通常音量モードに設定する。
【００３８】
ここで、通常音量モードは、最大音量モード及び最小音量モード以外のモードであり、音量を最小値（例えば「０」）から最大値（例えば「３１」）までの所定の音量範囲内で変更可能なモードである。
【００３９】
また、音量設定部５４１は、専用キー５５が押されている時間に応じて、音声信号の音量を上限値又は予め定められた下限値に設定し、無線機を最大音量モード又は最小音量モードに設定する。具体的には、音量設定部５４１は、タイマーを備え、専用キー５５が押されると、タイマーを作動させ、継続して専用キー５５が押されている時間をカウントする。ここで、下限値は、最小値以下の音量範囲内の値であり、デフォルトでは、最小値が設定されている。つまり、音量範囲が０〜３１とすると下限値のデフォルト値は０である。この下限値は、後述するように変更可能である。
【００４０】
そして、カウント値が所定時間より短い場合、音量設定部５４１は、専用キー５５が単押しされたと判定し、無線機を最大音量モードに設定する。一方、音量設定部５４１は、継続して専用キー５５が押されている時間のカウント値が所定時間よりも長い場合、専用キーが長押しされたと判定し、無線機を最小音量モードに設定する。
【００４１】
ここで、音量設定部５４１は、最大音量モード又は最小音量モードに設定している場合、音量ＵＰキー５２１又は音量ＤＯＷＮキー５２２が押されても、音量を変化させず、音量ＵＰキー５２１、音量ＤＯＷＮキー５２２の操作を無効とする。
【００４２】
なお、上限値と下限値とはそれぞれ調整可能とされている。この場合、例えば、上限値又は下限値を調整するための調整モードにするためのボタンを設け、このボタンが押されると、音量設定部５４１は、無線機を調整モードに設定する。そして、音量設定部５４１は、音量ＵＰキー５２１又は音量ＤＯＷＮキー５２２に入力された操作に従って、最大音量モードの上限値又は最小音量モードの下限値を設定すればよい。
【００４３】
更にこの場合、音量設定部５４１は、最大音量モードの上限値と通常音量モードの最大値とを異なる値に設定し、最小音量モードの下限値と通常音量モードの最小値とを異なる値に設定してもよい。音量が例えばレベル０〜レベル３１まで調整することが可能であるとすると、通常音量モードの最小値及び最大値を０及び３１とし、最大音量モードの上限値及び最小音量モードの下限値を調整モードで設定した値（例えば５及び２５）にしてもよい。また、最大音量モードの上限値と通常音量モードの最大値とを共に調整モードで設定した値で統一し、最小音量モードの下限値と通常音量モードの最小値とを共に調整モードで設定した値で統一してもよい。
【００４４】
専用キー５５は、音量を粗調整するためのユーザからの操作が入力されるボタンにより構成されている。具体的には、専用キー５５は、音声信号の音量を上限値に設定する、すなわち、無線機を最大音量モードに設定するための操作が入力される。また、専用キー５５は、音声信号の音量を下限値に設定する、すなわち、無線機を最小音量モードに設定するための操作が入力される。
【００４５】
選択キー５６は、音量ＵＰキー５２１、音量ＤＯＷＮキー５２２に与える機能を選択するためのものである。選択キー５６を押すことで、音量調整モード、スケルチレベル選択モード、及びＣＨ選択モードに切り換えることができる。
【００４６】
音量調整モードでは、音量ＵＰキー５２１、音量ＤＯＷＮキー５２２により音量調整を行うことができる。スケルチレベル選択モードでは、音量ＵＰキー５２１、音量ＤＯＷＮキー５２２によってスケルチレベルの調整を行うことができる。ＣＨ選択モードでは、音量ＵＰキー５２１、音量ＤＯＷＮキー５２２によってスケルチレベルの調整を行うことができる。
【００４７】
スケルチレベル選択モード、ＣＨ選択モードであっても、専用キー５５を使用することができる。例えばスケルチ選択モード又はＣＨ選択モードが選択されていて、音量ＵＰキー５２１、音量ＤＯＷＮキー５２２によって音量調整を行うことができない場合でも、専用キー５５を押すことにより、最大音量モード又は最小音量モードに設定することができる。
【００４８】
最大音量モード又は最小音量モードにおいて、選択キー５６が押されると最大音量モード又は最小音量モードが解除される。
【００４９】
図２は、現在設定されている音量をユーザに報知するための画像を示した図である。図２に示すように、表示部５３は、音量設定部５４１が現在設定している音量を棒グラフで表示する。具体的には、表示部５３は、音量ＵＰキー５２１が押されて、音量が一定量以上上昇されると、表示部５３は右端に表示した棒グラフよりも、所定量高い棒グラフをこの右端の棒グラフの右隣に表示する。
【００５０】
以後、表示部５３は、音量ＵＰキー５２１が押されて、音量が一定量以上上昇すると、右端の棒グラフよりも所定量高い棒グラフを右端の棒グラフの右隣に追加していき、階段状に棒グラフを並べることで現在設定されている音量をユーザに報知する。
【００５１】
一方、音量ＤＯＷＮキー５２２が押され、音量が一定量以上減少されると、表示部５３は右端に表示した棒グラフを消去する。以後、表示部５３は、音量ＤＯＷＮキー５２２が押され、音量が一定量以上減少すると、右端の棒グラフを消去し、階段の高さを低くする。
【００５２】
このように、現在設定されている音量がグラフィカルに表示されるため、ユーザは速やかに現在設定されている音声信号の音量を認識することができる。
【００５３】
なお、図２のように棒グラフで音量を示す態様に代えて、例えば数値により音量を示す態様を採用してもよい。この場合、表示部５３は、音量設定部５４１が設定した音量を示す数値を、そのまま表示すればよい。
【００５４】
図３は、本実施の形態による音量調整装置の動作を示すフローチャートである。まず、ステップＳ１において、ユーザにより専用キー５５が押されると（ステップＳ１でＹＥＳ）、音量設定部５４１はカウンタの計時を開始する。一方、ユーザにより専用キー５５が押されない場合（ステップＳ１でＮＯ）、処理がステップＳ１に戻される。
【００５５】
ステップＳ３において、ユーザにより専用キー５５が開放されると（ステップＳ３でＹＥＳ）、音量設定部５４１は、カウンタのカウント動作を終了させる。
【００５６】
一方、ユーザにより専用キー５５が開放されずに押された状態が継続された場合（ステップＳ３でＮＯ）、処理がステップＳ２に戻される。すなわち、音量設定部５４１は、専用キー５５が押されてから開放されるまで、ステップＳ２〜Ｓ３の処理を繰り返し、カウンタをカウントアップさせる。
【００５７】
次に、音量設定部５４１は、現在設定している音量をＲＡＭに記憶させる（ステップＳ４）。次に、音量設定部５４１は、カウント値が所定時間よりも小さいと判定すると（ステップＳ５でＹＥＳ）、音量を上限値に設定して無線機を最大音量モードに設定する（ステップＳ７）。一方、音量設定部５４１は、カウント値が所定時間よりも大きいと判定すると（ステップＳ５でＮＯ）、音量を下限値に設定して無線機を最小音量モードに設定する（ステップＳ６）。つまり、専用キー５５が押されてから一定時間経過後にミュートされる。
【００５８】
なお、上記フローチャートでは、専用キー５５が押されてから開放されるまでの時間を測定し、その時間が一定時間以上であれば、ミュートするようにしているが、専用キー５５が一定時間以上継続されて押されていれば、開放される前にミュートにするようにしてもよい。
【００５９】
図４は、最小音量モードにおいて表示部５３に表示される音量の画面図である。無線機が最小音量モードに設定されると、表示部５３は、図４（ａ）に示す棒グラフを図４（ｂ）に示すように点滅表示させる。これにより、ユーザは、現在、無線機が最小音量モードに設定されていることを速やかに認識することができる。
【００６０】
ここで、表示部５３は、最大音量モードと最小音量モードとにおいて、棒グラフの点滅周期を異ならせてもよい。こうすることで、ユーザは、無線機が最大音量モードに設定されているのか、又は最小音量モードに設定されているのかを容易に認識することができる。
【００６１】
また、最大音量モードと最小音量モードとで棒グラフの表示形式を変更してもよい。例えば、最小音量モードでは、図４（ｂ）に示すように棒グラフを点滅させる一方、最大音量モードでは、図２に示すように棒グラフが段階的に増加していく様子をアニメーション表示させるようにしてもよい。
【００６２】
次に、ユーザにより、再度、専用キー５５が押されると（ステップＳ８でＹＥＳ）、音量設定部５４１は、ステップＳ４で記憶した音量に音声信号の音量を戻し、無線機を通常音量モードに設定し（ステップＳ９）、処理をステップＳ１に戻す。
【００６３】
この場合、表示部５３は、図４（ｃ）に示すように棒グラフの点滅表示を中止する。これにより、ユーザは、最大音量モード又は最小音量モードから通常音量モードに戻ったことを容易に認識することができる。
【００６４】
一方、専用キー５５が押されない場合（ステップＳ８でＮＯ）、処理がステップＳ８に戻され、最大音量モード又は最小音量モードが継続される。
【００６５】
このように、本音量調整装置によれば、専用キー５５を設けたため、ユーザはワンタッチで、音声信号の音量を上限値に設定することができ、音声信号を聞き逃すことを防止することができる。
【００６６】
また、ワンタッチで音量を下限値に設定することができると共に、下限値を０より大きくすることで周囲に音声信号を漏らすこととなく、音声信号を聞くことができる。なお、最小音量モードの下限値を０に設定した場合、このモードはミュートモードになる。
【図面の簡単な説明】
【００６７】
【図１】本発明の一実施の形態による音量調整装置が適用された無線機のブロック図を示している。
【図２】現在設定されている音量をユーザに報知するための情報を示した図である。
【図３】本実施の形態による音量調整装置の動作を示すフローチャートである。
【図４】最小音量モードにおいて表示部に表示される音量の画面図である。
【符号の説明】
【００６８】
１  アンテナ
２  ＲＦ回路
３  ミキサー
４  ＩＦ−ＩＣ
５  音量調整部
６  アンプ
７  スピーカ
５１  Ｄ／Ａコンバータ
５２  音量操作部
５３  表示部
５４  制御部
５５  専用キー
５２１  音量ＵＰキー
５２２  音量ＤＯＷＮキー
５４１  音量設定部
【図１】
2010114509.tif 000003
【図２】
2010114509.tif 000004
【図３】
2010114509.tif 000005
【図４】
2010114509.tif 000006